(57)【特許請求の範囲】
【請求項１】
電線端部と前記電線端部に接続された端子との間における関係を示す関係情報の入力を受付ける関係情報受付部と、
前記関係情報に基づいて前記電線端部と前記端子との接続状況の良否を判断する良否判断部と、
前記良否判断部による判断結果を示す判断結果情報を出力する判断結果情報出力部とを備える電線接続状況判断装置であって、
前記関係情報が、
前記電線端部と前記端子との接続強度を示す接続強度情報と、
クリンプハイトを示すクリンプハイト情報とを含み、
前記良否判断部が、
前記関係情報受付部が受付けた前記関係情報と前記関係情報の所定の母集団とに基づいて前記関係情報受付部が受付けた前記関係情報と前記関係情報の所定の母集団を構成する前記関係情報それぞれとの相違の程度を示す相違程度値を算出する相違程度値算出部と、
前記相違程度値についての所定の要件が満たされるか否かに基づいて前記接続状況の良否を判断する要件判断部とを有していることを特徴とする電線接続状況判断装置。
【請求項２】
前記要件判断部が、
前記相違程度値算出部が算出した前記相違程度値が閾値を超えるという前記所定の要件を満たすか否かを判断する閾値判断部と、
複数の前記相違程度値を前記相違程度値それぞれが算出された時期に１対１に対応付けて記憶する相違程度値記憶部と、
前記相違程度値記憶部が記憶した複数の前記相違程度値が示す前記相違程度値の推移が前記推移に対応する前記所定の要件を満たすか否かを判断する推移要件判断部とを有しており、
前記判断結果情報出力部が、前記閾値判断部による判断結果を示す閾値要件充足判断情報、および、前記推移要件判断部による判断結果を示す推移要件充足判断情報の少なくとも一方を前記判断結果情報として出力することを特徴とする請求項１に記載の電線接続状況判断装置。
【請求項３】
前記判断結果情報出力部が、
前記閾値要件充足判断情報および前記推移要件充足判断情報のうち少なくとも前記推移要件充足判断情報をヒトの五感で認識可能な態様で出力する五感認識可能態様出力部と、
前記閾値要件充足判断情報および前記推移要件充足判断情報のうち少なくとも前記閾値要件充足判断情報を結果情報記憶装置へ出力する記憶装置出力部とを有していることを特徴とする請求項２に記載の電線接続状況判断装置。
【請求項４】
前記関係情報受付部が、前記電線端部と前記端子とを接続した者および前記電線端部と前記端子とを接続した装置の少なくとも一方を示す接続特定情報を前記関係情報と共に受付け、
前記記憶装置出力部が、前記接続特定情報を前記閾値要件充足判断情報と共に出力することを特徴とする請求項３に記載の電線接続状況判断装置。
【請求項５】
電線端部と前記電線端部に接続された端子との間における関係を示す関係情報の入力をコンピュータが受付ける関係情報受付工程と、
前記関係情報に基づいて前記電線端部と前記端子との接続状況の良否を前記コンピュータが判断する良否判断工程と、
前記良否判断工程における判断結果を示す判断結果情報を前記コンピュータが出力する判断結果出力工程とを備える電線接続状況判断方法であって、
前記関係情報が、
前記電線端部と前記端子との接続強度を示す接続強度情報と、
クリンプハイトを示すクリンプハイト情報とを含み、
前記良否判断工程が、
前記関係情報受付工程において受付けられた前記関係情報と前記関係情報の所定の母集団とに基づいて前記関係情報受付工程において受付けられた前記関係情報と前記関係情報の所定の母集団を構成する前記関係情報それぞれとの相違の程度を示す相違程度値が算出される相違程度値算出工程と、
前記相違程度値についての所定の要件が満たされるか否かに基づいて前記接続状況の良否が判断される要件判断工程とを有していることを特徴とする電線接続状況判断方法。
【請求項６】
電線端部と前記電線端部に接続された端子との間における関係を示す関係情報の入力が受付けられる関係情報受付工程と、
前記関係情報に基づいて前記電線端部と前記端子との接続状況の良否が判断される良否判断工程と、
前記良否判断工程における判断結果を示す判断結果情報が出力される判断結果出力工程とを備える電線接続状況判断方法をコンピュータに実行させる電線接続状況判断プログラムであって、
前記関係情報が、
前記電線端部と前記端子との接続強度を示す接続強度情報と、
クリンプハイトを示すクリンプハイト情報とを含み、
前記良否判断工程が、
前記関係情報受付工程において受付けられた前記関係情報と前記関係情報の所定の母集団とに基づいて前記関係情報受付工程において受付けられた前記関係情報と前記関係情報の所定の母集団を構成する前記関係情報それぞれとの相違の程度を示す相違程度値が算出される相違程度値算出工程と、
前記相違程度値についての所定の要件が満たされるか否かに基づいて前記接続状況の良否が判断される要件判断工程とを有していることを特徴とする電線接続状況判断プログラム。
【発明の詳細な説明】
【技術分野】
【０００１】
本発明は、電線接続状況判断装置、電線接続状況判断方法、および、電線接続状況判断プログラムに関する。
【背景技術】
【０００２】
特許文献１は端子付電線の自動評価装置を開示する。この自動評価装置は、検査ユニットと、データ処理ユニットとを有する。検査ユニットは、クリンプハイト測定部、第１の自動搬送部、接触抵抗測定部、第２の自動搬送部、および、固着力測定部を有する。接触抵抗測定部は、端子の接触抵抗値を測定する。固着力測定部は、端子と電線との接続強度を測定する。データ処理ユニットは、検査ユニットの検査結果を端子付電線ごとに記憶する。特許文献１に開示されている自動評価装置によれば、１本１本の端子付電線に対して一貫した自動測定を行うことができる。特許文献１に開示されている自動評価装置によれば、自動測定の結果を出力することができる。
【先行技術文献】
【特許文献】
【０００３】
【特許文献１】特開２０００−２０７９５６号公報
【発明の概要】
【発明が解決しようとする課題】
【０００４】
しかしながら、特許文献１に開示された自動評価装置には、端子と電線との接続状況に関する潜在的な問題を検出し難いという問題点がある。
【０００５】
本発明は、このような問題を解消するものである。その目的は、端子と電線との接続状況に関する潜在的な問題の検出確率を向上させる電線接続状況判断装置、電線接続状況判断方法、および、電線接続状況判断プログラムを提供することにある。
【課題を解決するための手段】
【０００６】
図面に基づいて本発明の電線接続状況判断装置、電線接続状況判断方法、および、電線接続状況判断プログラムが説明される。なお、この欄で図中の符号を使用したのは、発明の内容の理解を助けるためであって、内容を図示した範囲に限定する意図ではない。
【０００７】
上述された課題を解決するために、本発明のある局面に従うと、電線接続状況判断装置１２は、関係情報受付部８０と、良否判断部８２と、判断結果情報出力部８４とを備える。関係情報受付部８０は、関係情報の入力を受付ける。この関係情報は、電線端部と電線端部に接続された端子との間における関係を示す。良否判断部８２は、電線端部と端子との接続状況の良否を判断する。その良否は関係情報に基づいて判断される。判断結果情報出力部８４は、判断結果情報を出力する。判断結果情報は、良否判断部８２による判断結果を示す。関係情報が、接続強度情報と、クリンプハイト情報とを含む。接続強度情報は、電線端部と端子との接続強度を示す。クリンプハイト情報は、クリンプハイトを示す。良否判断部８２が、相違程度値算出部１００と、要件判断部１０２とを有している。相違程度値算出部１００は、相違程度値を算出する。その相違程度値は、関係情報受付部８０が受付けた関係情報と関係情報の所定の母集団とに基づいて算出される。その相違程度値は、関係情報受付部８０が受付けた関係情報と関係情報の所定の母集団を構成する関係情報それぞれとの相違の程度を示す。要件判断部１０２は、接続状況の良否を判断する。その良否は、相違程度値についての所定の要件が満たされるか否かに基づいて判断される。
【０００８】
相違程度値が算出されると、関係情報受付部８０が受付けた関係情報と関係情報の所定の母集団との相違の程度が明らかになる。その相違の程度が明らかになることで、接続強度の大きさおよびクリンプハイトの大きさの組み合わせに異常があるとき、そのことを明らかにすることが可能になる。その組み合わせに異常があることは、接続強度の大きさ自体には異常がなくても明らかになる。その組み合わせに異常があることは、クリンプハイトの大きさ自体には異常がなくても明らかになる。その組み合わせに異常があることが明らかになると、そのことに反映されるような潜在的な問題の存在は検出可能となる。要件判断部１０２は、接続状況の良否を判断する。その良否は、相違程度値についての所定の要件が満たされるか否かに基づいて判断される。接続強度の大きさおよびクリンプハイトの大きさの組み合わせに異常があるか否かということとの間に対応するようにその所定の要件が定められると、要件判断部１０２の判断により、潜在的な問題が明らかとなる。その結果、端子と電線との接続状況に関する潜在的な問題の検出確率は向上させるものとなる。
【０００９】
また、上述された要件判断部１０２が、閾値判断部１５０と、相違程度値記憶部１５２と、推移要件判断部１５４とを有していることが望ましい。閾値判断部１５０は、次に述べられる所定の要件を満たすか否かを判断する。その要件は、相違程度値算出部１００が算出した相違程度値が閾値を超えるというものである。相違程度値記憶部１５２は、複数の相違程度値を記憶する。それらの相違程度値は、相違程度値それぞれが算出された時期に１対１に対応付けられる。推移要件判断部１５４は、相違程度値の推移がその推移に対応する所定の要件を満たすか否かを判断する。相違程度値の推移は、相違程度値記憶部１５２が記憶した複数の相違程度値が示すものである。この場合、判断結果情報出力部８４が、閾値要件充足判断情報、および、推移要件充足判断情報の少なくとも一方を判断結果情報として出力することが望ましい。閾値要件充足判断情報は、閾値判断部１５０による判断結果を示す。推移要件充足判断情報は、推移要件判断部１５４による判断結果を示す。
【００１０】
閾値判断部１５０は、次に述べられる所定の要件を満たすか否かを判断する。その要件は、相違程度値算出部１００が算出した相違程度値が閾値を超えるというものである。この判断により、関係情報受付部８０によって受付けられた関係情報が単独で示し得る潜在的な問題の有無が明らかとなる。推移要件判断部１５４は、相違程度値の推移がその推移に対応する所定の要件を満たすか否かを判断する。相違程度値の推移との間に対応関係があるようにその所定の要件が定められると、推移要件判断部１５４の判断により、相違程度値の推移に現れる潜在的な問題が明らかとなる。これにより、関係情報受付部８０によって受付けられた関係情報が単独で示す潜在的な問題だけでなく、相違程度値の推移が示す潜在的な問題の検出確率を向上させる。
【００１１】
もしくは、上述された判断結果情報出力部８４が、五感認識可能態様出力部１７０と、記憶装置出力部１７２とを有していることが望ましい。五感認識可能態様出力部１７０は、閾値要件充足判断情報および推移要件充足判断情報のうち少なくとも推移要件充足判断情報を出力する。五感認識可能態様出力部１７０によって出力される情報は、ヒトの五感で認識可能な態様で出力される。記憶装置出力部１７２は、閾値要件充足判断情報および推移要件充足判断情報のうち少なくとも閾値要件充足判断情報を出力する。記憶装置出力部１７２によって出力される情報は、結果情報記憶装置１０へ出力される。
【００１２】
五感認識可能態様出力部１７０によって出力される情報は、ヒトの五感で認識可能な態様で出力される。これにより、相違程度値の推移に現れる潜在的な問題をヒトに認識させることが容易になる。記憶装置出力部１７２によって出力される情報は、結果情報記憶装置１０へ出力される。これにより、相違程度値が閾値を超えたか否かを記憶装置出力部１７２による出力の後に確認することが容易になる。その結果、相違程度値の推移に現れる潜在的な問題をヒトに容易に認識させることができ、かつ、相違程度値が閾値を超えたか否かを後に確認できる。
【００１３】
もしくは、上述された関係情報受付部８０が、接続特定情報を関係情報と共に受付けることが望ましい。接続特定情報は、電線端部と端子とを接続した者および電線端部と端子とを接続した装置の少なくとも一方を示す。この場合、記憶装置出力部１７２が、接続特定情報を閾値要件充足判断情報と共に出力することが望ましい。
【００１４】
接続特定情報が閾値要件充足判断情報と共に出力されると、接続状況が良くない電線端部および端子とそれらを接続した者およびそれらを接続した装置の少なくとも一方との関連性を調べることが可能になる。その関連性を調べることが可能になると、その関連性に基づいて潜在的な問題の原因を特定できる可能性が高くなる。
【００１５】
本発明の他の局面に従うと、電線接続状況判断方法は、関係情報受付工程Ｓ２００と、良否判断工程Ｓ２０２と、判断結果出力工程Ｓ２０４とを備える。関係情報受付工程Ｓ２００において、関係情報の入力をコンピュータ４０が受付ける。この関係情報は、電線端部と電線端部に接続された端子との間における関係を示す。良否判断工程Ｓ２０２において、電線端部と端子との接続状況の良否をコンピュータ４０が判断する。その良否は関係情報に基づいて判断される。判断結果出力工程Ｓ２０４において、判断結果情報をコンピュータ４０が出力する。判断結果情報は、良否判断工程Ｓ２０２における判断結果を示す。関係情報が、接続強度情報と、クリンプハイト情報とを含む。接続強度情報は、電線端部と端子との接続強度を示す。クリンプハイト情報は、クリンプハイトを示す。良否判断工程Ｓ２０２が、相違程度値算出工程Ｓ２４０と、要件判断工程Ｓ２４２とを有している。相違程度値算出工程Ｓ２４０において、相違程度値が算出される。その相違程度値は、関係情報受付工程Ｓ２００において受付けられた関係情報と関係情報の所定の母集団とに基づいて算出される。その相違程度値は、関係情報受付工程Ｓ２００において受付けられた関係情報と関係情報の所定の母集団を構成する関係情報それぞれとの相違の程度を示す。要件判断工程Ｓ２４２において、接続状況の良否が判断される。その良否は、相違程度値についての所定の要件が満たされるか否かに基づいて判断される。
【００１６】
本発明にかかる電線接続状況判断方法は、端子と電線との接続状況に関する潜在的な問題の検出確率を向上させる。
【００１７】
本発明の他の局面に従うと、電線接続状況判断プログラムは、電線接続状況判断方法をコンピュータ４０に実行させる。電線接続状況判断方法は、関係情報受付工程Ｓ２００と、良否判断工程Ｓ２０２と、判断結果出力工程Ｓ２０４とを備える。関係情報受付工程Ｓ２００において、関係情報の入力が受付けられる。この関係情報は、電線端部と電線端部に接続された端子との間における関係を示す。良否判断工程Ｓ２０２において、電線端部と端子との接続状況の良否が判断される。その良否は関係情報に基づいて判断される。判断結果出力工程Ｓ２０４において、判断結果情報が出力される。判断結果情報は、良否判断工程Ｓ２０２における判断結果を示す。関係情報が、接続強度情報と、クリンプハイト情報とを含む。接続強度情報は、電線端部と端子との接続強度を示す。クリンプハイト情報は、クリンプハイトを示す。良否判断工程Ｓ２０２が、相違程度値算出工程Ｓ２４０と、要件判断工程Ｓ２４２とを有している。相違程度値算出工程Ｓ２４０において、相違程度値が算出される。その相違程度値は、関係情報受付工程Ｓ２００において受付けられた関係情報と関係情報の所定の母集団とに基づいて算出される。その相違程度値は、関係情報受付工程Ｓ２００において受付けられた関係情報と関係情報の所定の母集団を構成する関係情報それぞれとの相違の程度を示す。要件判断工程Ｓ２４２において、接続状況の良否が判断される。その良否は、相違程度値についての所定の要件が満たされるか否かに基づいて判断される。
【００１８】
本発明にかかる電線接続状況判断プログラムは、端子と電線との接続状況に関する潜在的な問題の検出確率を向上させる。
【発明の効果】
【００１９】
本発明にかかる電線接続状況判断装置、電線接続状況判断方法、および、電線接続状況判断プログラムは、端子と電線との接続状況に関する潜在的な問題の検出確率を向上させる。
【図面の簡単な説明】
【００２０】
【図１】本発明の一実施形態にかかる生産管理システムの構成が示される概念図である。
【図２】周知のコンピュータのハードウェア構成が示される概念図である。
【図３】本発明の一実施形態にかかる電線接続状況判断装置の機能ブロック図である。
【図４】本発明の一実施形態にかかる電線接続状況判断方法の制御の手順を示すフローチャートである。
【図５】本発明の一実施形態にかかる関係情報受付工程の制御の手順を示すフローチャートである。
【図６】本発明の一実施形態にかかる良否判断工程における制御の手順を示すフローチャートである。
【図７】本発明の一実施形態にかかる判断結果出力工程の制御の手順を示すフローチャートである。
【図８】本発明の一実施形態にかかる関係情報受付工程において出力される画像を示す図である。
【図９】本発明の一実施形態にかかる五感認識可能態様出力工程において出力される画像の概念図である。
【発明を実施するための形態】
【００２１】
以下、本発明の実施形態が説明される。その説明において図面が参照される。以下の説明では、同一の部品には同一の符号が付される。それらの名称および機能は同一である。したがって、それらについての詳細な説明は繰返さない。
【００２２】
［生産管理システムの構成の説明］
以下、本発明の一実施形態が説明される。図１は、本実施形態にかかる生産管理システムの構成が示される概念図である。図１に基づいて、本実施形態にかかる生産管理システムの構成が説明される。
【００２３】
本実施形態にかかる生産管理システムは、結果情報記憶装置１０と、電線接続状況判断装置１２と、クリンプハイト試験機１４と、引張試験機１６とを備える。
【００２４】
結果情報記憶装置１０は、製品の生産量を示す情報および製品の試験結果を示す情報を記憶する。電線接続状況判断装置１２は、電線とその電線の端部に接続される端子との接続状況を判断する。クリンプハイト試験機１４は、クリンプハイトを測定する。クリンプハイトは、電線の端部に接続された状態での、電線の端部との接続箇所における端子の厚さを意味する。引張試験機１６は、クリンプハイトが測定された端子とその端子に接続されている電線との接続強度を測定する。
【００２５】
［結果情報記憶装置と電線接続状況判断装置とのハードウェア構成の説明］
図２は、周知のコンピュータ４０のハードウェア構成が示される概念図である。図２に基づいて、周知のコンピュータ４０のハードウェア構成が説明される。本コンピュータ４０は、制御部５０と、メモリ５２と、固定ディスク５４と、キーボード５６と、マウス５８と、バーコードリーダ６０と、コネクタ６２と、表示装置６４と、第１Ｉ／Ｏ（Input/Output）６６と、第２Ｉ／Ｏ６８と、第３Ｉ／Ｏ７０とを有する。
【００２６】
制御部５０は、ＣＰＵ（Central Processing Unit）などによって実現される。制御部５０は、これがメモリ５２から読出したプログラムを実行することにより、そのプログラムにおいて定められた手順にしたがってコンピュータ４０を構成する各装置を制御する。メモリ５２は、ＲＯＭ（Read only memory）およびＲＡＭ（Random access memory）などによって実現される。メモリ５２は、プログラムとデータその他の情報とを記憶する。固定ディスク５４は、プログラムを記録する。キーボード５６およびマウス５８は、オペレータの入力に応じて信号を生成する。これにより、コンピュータ４０に情報が入力される。バーコードリーダ６０は、バーコードを読み取る。バーコードリーダ６０は読み取ったバーコードに対応する信号を生成する。これにより、コンピュータ４０に情報が入力される。コネクタ６２にはＵＳＢ（Universal Serial Bus）メモリ４２が接続される。ＵＳＢメモリ４２に記録されたプログラムおよび情報はコネクタ６２を介して制御部５０に読み込まれる。表示装置６４は、画像を表示することにより情報を出力する。第１Ｉ／Ｏ６６乃至第３Ｉ／Ｏ７０は、他のコンピュータ４０その他の装置に接続される。第１Ｉ／Ｏ６６乃至第３Ｉ／Ｏ７０は、それらの装置と通信する。
【００２７】
本実施形態の場合、結果情報記憶装置１０と、電線接続状況判断装置１２とは、互いに異なるコンピュータ４０の制御部５０が互いに異なるプログラムを実行することにより実現される。
【００２８】
［製品別データベース記憶装置の機能の説明］
本実施形態にかかる結果情報記憶装置１０の機能は周知である。したがってここではその詳細な説明は繰り返されない。
【００２９】
［情報分析装置の機能の説明］
図３は、本実施形態にかかる電線接続状況判断装置１２の機能ブロック図である。図３に基づいて、本実施形態にかかる電線接続状況判断装置１２の構成とその機能とが説明される。
【００３０】
電線接続状況判断装置１２は、関係情報受付部８０と、良否判断部８２と、判断結果情報出力部８４とを備える。
【００３１】
本実施形態の場合、関係情報受付部８０はコンピュータ４０の制御部５０とキーボード５６とマウス５８とバーコードリーダ６０と表示装置６４と第１Ｉ／Ｏ６６と第２Ｉ／Ｏ６８とによって実現される。関係情報受付部８０は、関係情報の入力を受付ける。この関係情報は、電線端部と電線端部に接続された端子との間における関係を示す。本実施形態の場合、関係情報が、接続強度情報と、クリンプハイト情報とを含む。接続強度情報は、電線端部と端子との接続強度を示す。クリンプハイト情報は、クリンプハイトを示す。クリンプハイトにより、端子が電線端部をどの程度強く把持しているかが特定される。
【００３２】
本実施形態の場合、良否判断部８２はコンピュータ４０の制御部５０とメモリ５２と固定ディスク５４とによって実現される。良否判断部８２は、電線端部と端子との接続状況の良否を判断する。その良否は関係情報に基づいて判断される。
【００３３】
本実施形態の場合、判断結果情報出力部８４はコンピュータ４０の制御部５０とメモリ５２と固定ディスク５４と表示装置６４と第３Ｉ／Ｏ７０とによって実現される。判断結果情報出力部８４は、判断結果情報を出力する。判断結果情報は、良否判断部８２による判断結果を示す。
【００３４】
本実施形態の場合、関係情報受付部８０は、接続特定情報受付部１２０と、部品特定情報受付部１２２と、クリンプハイト受信部１２４と、接続強度受信部１２６とを有している。接続特定情報受付部１２０は、接続特定情報を受付ける。接続特定情報は、電線端部と端子とを接続した者および電線端部と端子とを接続した装置の少なくとも一方を示す。部品特定情報受付部１２２は、部品特定情報を受付ける。部品特定情報は、電線を特定するための情報、および、端子を特定するための情報を有する。クリンプハイト受信部１２４は、クリンプハイト試験機１４に対してクリンプハイト測定指令を送信する。クリンプハイト受信部１２４は、クリンプハイト試験機１４からクリンプハイト情報を受信する。接続強度受信部１２６は、引張試験機１６に対して強度測定指令を送信する。接続強度受信部１２６は、引張試験機１６から接続強度情報を受信する。
【００３５】
本実施形態の場合、良否判断部８２は、相違程度値算出部１００と、要件判断部１０２とを有している。相違程度値算出部１００は、所定の相違程度値を算出する。その相違程度値は、関係情報受付部８０が受付けた関係情報と関係情報の所定の母集団とに基づいて算出される。その相違程度値は、関係情報受付部８０が受付けた関係情報と関係情報の所定の母集団を構成する関係情報それぞれとの相違の程度を示す。相違程度値の算出のために、相違程度値算出部１００はその母集団を構成する関係情報を予め記憶している。要件判断部１０２は、接続状況の良否を判断する。その良否は、相違程度値についての所定の要件が満たされるか否かに基づいて判断される。
【００３６】
本実施形態の場合、要件判断部１０２が、閾値判断部１５０と、相違程度値記憶部１５２と、推移要件判断部１５４とを有している。閾値判断部１５０は、次に述べられる所定の要件を満たすか否かを判断する。その要件は、相違程度値算出部１００が算出した相違程度値が閾値を超えるというものである。相違程度値記憶部１５２は、複数の相違程度値を記憶する。それらの相違程度値は、相違程度値それぞれが算出された時期に１対１に対応付けられる。これにより、相違程度値記憶部１５２は、相違程度値とこれが算出された時期を示す情報との組を記憶することとなる。相違程度値記憶部１５２が記憶するそれらの情報の組は、相違程度値記憶部１５２が予め記憶したか、又は相違程度値算出部１００が過去に生成したものである。推移要件判断部１５４は、相違程度値の推移がその推移に対応する所定の要件を満たすか否かを判断する。相違程度値の推移は、相違程度値記憶部１５２が記憶した複数の相違程度値が示すものである。
【００３７】
本実施形態の場合、判断結果情報出力部８４は、閾値要件充足判断情報、および、推移要件充足判断情報を判断結果情報として出力する。閾値要件充足判断情報は、閾値判断部１５０による判断結果を示す。推移要件充足判断情報は、推移要件判断部１５４による判断結果を示す。
【００３８】
本実施形態の場合、判断結果情報出力部８４は、五感認識可能態様出力部１７０と、記憶装置出力部１７２とを有している。本実施形態の場合、五感認識可能態様出力部１７０は、閾値要件充足判断情報および推移要件充足判断情報を出力する。五感認識可能態様出力部１７０によって出力される情報は、ヒトの五感で認識可能な態様で出力される。本実施形態の場合、記憶装置出力部１７２は、閾値要件充足判断情報および推移要件充足判断情報を出力する。記憶装置出力部１７２によって出力される情報は、結果情報記憶装置１０へ出力される。本実施形態の場合、記憶装置出力部１７２は、接続特定情報および部品特定情報を閾値要件充足判断情報と共に出力する。
【００３９】
［プログラムの説明］
本実施形態にかかる電線接続状況判断装置１２は、上述されたコンピュータ４０の制御部５０がメモリ５２から読出したプログラムを実行することにより実現される。一般的にこうしたプログラムは、ＵＳＢメモリ４２などのコンピュータ４０が読取可能な記録媒体に記録された状態で流通する。こうしたプログラムは図示されないインターネットを介して流通することもある。こうしたプログラムは、固定ディスク５４にいったん記録される。制御部５０が実行するプログラムは、その固定ディスク５４に記録されたプログラムをメモリ５２が記憶したものである。したがって、本発明の最も本質的な部分は、ＵＳＢメモリ４２などのコンピュータ読取可能な記録媒体に記録されたソフトウェアである。
【００４０】
［クリンプハイト試験機および引張試験機の機能の説明］
本実施形態にかかるクリンプハイト試験機１４および引張試験機１６の機能は周知である。したがってここではその詳細な説明は繰り返されない。
【００４１】
［電線接続状況判断方法にかかるフローチャートの説明］
図４は、本実施形態にかかる電線接続状況判断方法の制御の手順を示すフローチャートである。この電線接続状況判断方法は、次に述べられる複数の工程をコンピュータ４０に実行させるものである。それら複数の工程は、関係情報受付工程Ｓ２００、良否判断工程Ｓ２０２、判断結果出力工程Ｓ２０４、および、繰返回数判断工程Ｓ２０６である。コンピュータ４０の制御部５０がプログラムを実行した結果、コンピュータ４０は、電線接続状況判断装置１２としてそれら複数の工程を備える電線接続状況判断方法を実施することとなる。以下、これらの各工程の具体的な内容が説明される。
【００４２】
関係情報受付工程Ｓ２００にて、電線接続状況判断装置１２の関係情報受付部８０（現実には、制御部５０、メモリ５２、キーボード５６、マウス５８、バーコードリーダ６０、表示装置６４、第１Ｉ／Ｏ６６、および、第２Ｉ／Ｏ６８）は、次に述べられる情報を受付ける。それらの情報は、接続特定情報と部品特定情報と関係情報である。
【００４３】
良否判断工程Ｓ２０２にて、電線接続状況判断装置１２の良否判断部８２（現実には、制御部５０、メモリ５２、および、固定ディスク５４）は、電線端部と端子との接続状況の良否を判断する。その良否は関係情報に基づいて判断される。
【００４４】
判断結果出力工程Ｓ２０４にて、電線接続状況判断装置１２の判断結果情報出力部８４（現実には、制御部５０、メモリ５２、固定ディスク５４、表示装置６４、および、第３Ｉ／Ｏ７０）は、判断結果情報を出力する。判断結果情報は、良否判断工程Ｓ２０２における判断結果を示す。
【００４５】
繰返回数判断工程Ｓ２０６にて、電線接続状況判断装置１２の記憶装置出力部１７２（現実には制御部５０）は、関係情報受付工程Ｓ２００乃至判断結果出力工程Ｓ２０４の工程が所定の回数繰り返されたか否かを判断する。本実施形態の場合、その回数は「３回」である。関係情報受付工程Ｓ２００乃至判断結果出力工程Ｓ２０４の工程が所定の回数繰り返されたと判断された場合（Ｓ２０６にてＹＥＳ）、処理は終了する。もしそうでないと（Ｓ２０６にてＮＯ）、処理はＳ２００へと移される。
【００４６】
図５は、本実施形態にかかる関係情報受付工程Ｓ２００における制御の手順を示すフローチャートである。この工程は、次に述べられる複数の工程をコンピュータ４０に実行させるものである。それら複数の工程は、接続特定情報受付工程Ｓ２２０、部品特定情報受付工程Ｓ２２２、クリンプハイト受信工程Ｓ２２４、および、接続強度受信工程Ｓ２２６である。以下、これらの各工程の具体的な内容が説明される。
【００４７】
接続特定情報受付工程Ｓ２２０において、接続特定情報受付部１２０（現実には制御部５０とメモリ５２と表示装置６４）は、接続特定情報を受付けるための画像を出力する。その画像が出力されると、接続特定情報受付部１２０（現実には制御部５０およびバーコードリーダ６０）は、接続特定情報を受付ける。本実施形態の場合、接続特定情報は、電線端部と端子とを接続した者を示す。接続特定情報が受付けられると、接続特定情報受付部１２０（現実には制御部５０）は、その接続特定情報を相違程度値算出部１００（現実にはメモリ５２）に出力する。相違程度値算出部１００はその接続特定情報を記憶する。
【００４８】
部品特定情報受付工程Ｓ２２２において、部品特定情報受付部１２２（現実には制御部５０とメモリ５２と表示装置６４）は、部品特定情報を受付けるための画像を出力する。その画像が出力されると、部品特定情報受付部１２２（現実には制御部５０およびバーコードリーダ６０）は、部品特定情報を受付ける。上述されたように、部品特定情報は、電線を特定するための情報、および、端子を特定するための情報を有する。本実施形態の場合、部品特定情報は、電線を特定するための情報として電線の品番が用いられる。端子を特定するための情報として端子の品番が用いられる。部品特定情報が受付けられると、部品特定情報受付部１２２（現実には制御部５０）は、その部品特定情報を相違程度値算出部１００（現実にはメモリ５２）に出力する。相違程度値算出部１００はその部品特定情報を記憶する。
【００４９】
クリンプハイト受信工程Ｓ２２４において、クリンプハイト受信部１２４（現実には制御部５０とキーボード５６とマウス５８）は、クリンプハイト試験の開始指令を受付ける。クリンプハイト試験の開始指令が受付けられると、クリンプハイト受信部１２４（現実には制御部５０および第１Ｉ／Ｏ６６）は、クリンプハイト試験機１４に対してクリンプハイト測定指令を送信する。クリンプハイト受信部１２４（現実には制御部５０および第１Ｉ／Ｏ６６）は、クリンプハイト試験機１４からクリンプハイト情報を受信する。本実施形態におけるクリンプハイト情報とは、クリンプハイトの値を示す情報を意味する。クリンプハイト情報が受信されると、クリンプハイト受信部１２４（現実には制御部５０）はそのクリンプハイト情報を相違程度値算出部１００（現実にはメモリ５２）に出力する。相違程度値算出部１００はそのクリンプハイト情報を記憶する。
【００５０】
接続強度受信工程Ｓ２２６において、接続強度受信部１２６（現実には制御部５０とキーボード５６とマウス５８）は、引張試験の開始指令を受付ける。引張試験の開始指令が受付けられると、接続強度受信部１２６（現実には制御部５０および第２Ｉ／Ｏ６８）は、引張試験機１６に対して強度測定指令を送信する。接続強度受信部１２６（現実には制御部５０および第２Ｉ／Ｏ６８）は、引張試験機１６から接続強度情報を受信する。本実施形態における接続強度情報とは、接続強度の値を示す情報を意味する。接続強度情報が受信されると、接続強度受信部１２６（現実には制御部５０）はその接続強度情報を相違程度値算出部１００（現実にはメモリ５２）に出力する。相違程度値算出部１００はその接続強度情報を記憶する。
【００５１】
図６は、本実施形態にかかる良否判断工程Ｓ２０２における制御の手順を示すフローチャートである。この工程は、次に述べられる複数の工程をコンピュータ４０に実行させるものである。それら複数の工程は、相違程度値算出工程Ｓ２４０、および、要件判断工程Ｓ２４２である。以下、これらの各工程の具体的な内容が説明される。
【００５２】
相違程度値算出工程Ｓ２４０にて、相違程度値算出部１００（現実には制御部５０とメモリ５２と固定ディスク５４）は、所定の相違程度値を算出する。その相違程度値は、関係情報受付部８０が受付けた関係情報と関係情報の所定の母集団とに基づいて算出される。本実施形態においては、次の手順によりその相違程度値が算出される。まず、相違程度値算出部１００は、上述された関係情報の母集団を構成する関係情報を正規化する。その正規化には、その母集団を構成する関係情報のみが用いられる。関係情報受付工程Ｓ２００において受付けられた関係情報は用いられない。その母集団を構成する関係情報はいずれも接続強度情報とこれに対応付けられたクリンプハイト情報とを含む。これにより、それらの情報が示す接続強度とクリンプハイトとがそれぞれ正規化される。その結果、正規化された接続強度を示す情報とこれに対応付けられ正規化されたクリンプハイトを示す情報とが得られる。それらの接続強度とクリンプハイトとがそれぞれ正規化されると、相違程度値算出部１００は、相関係数を算出する。その相関係数は、正規化された接続強度とこれに対応付けられ正規化されたクリンプハイトとから算出される。本実施形態においてこの相関係数は母集団の相関係数と称される。母集団の相関係数が算出されると、相違程度値算出部１００は、関係情報受付部８０が受付けた関係情報に含まれる接続強度情報とクリンプハイト情報とを対応付ける。次いで、相違程度値算出部１００は、関係情報受付部８０が受付けた関係情報と上述された関係情報の母集団を構成する関係情報とを正規化する。その正規化には、関係情報受付部８０が受付けた関係情報とその母集団を構成する関係情報とが用いられる。これにより、それらの関係情報に含まれる情報が示す接続強度とクリンプハイトとがそれぞれ正規化される。その結果、正規化された接続強度とこれに対応付けられ正規化されたクリンプハイトとが再び得られる。それらの接続強度とクリンプハイトとがそれぞれ正規化されると、相違程度値算出部１００は、相関係数を算出する。その相関係数は、母集団の相関係数が算出された後に正規化された接続強度とこれに対応付けられ正規化されたクリンプハイトとから算出される。本実施形態においてこの相関係数は影響を受けた相関係数と称される。このように称されるのは、この相関係数は関係情報受付部８０が受付けた関係情報の影響を受けているためである。影響を受けた相関係数が算出されると、相違程度値算出部１００は、母集団の相関係数と影響を受けた相関係数との差を算出する。この差が、本実施形態における相違程度値である。相関係数はその算出に用いられた値の影響を受ける。母集団の相関係数と影響を受けた相関係数との差は、関係情報受付部８０が受付けた関係情報が相関係数の算出に用いられた場合とそうでない場合との差である。これにより、関係情報の所定の母集団を構成する関係情報それぞれと関係情報受付部８０が受付けた関係情報との相違が大きければ、母集団の相関係数と影響を受けた相関係数との差も大きくなる。その差が大きくなるので、本実施形態においては母集団の相関係数と影響を受けた相関係数との差が相違程度値として用いれる。相違程度値が算出されると、相違程度値算出部１００（現実には制御部５０）は、相違程度値を要件判断部１０２の閾値判断部１５０（現実にはメモリ５２）に出力する。相違程度値算出部１００は、次に述べられる情報も閾値判断部１５０に出力する。それらの情報は、接続特定情報、部品特定情報、クリンプハイト情報、接続強度情報、および、相違程度値が算出された日時を示す情報である。その接続特定情報は、接続特定情報受付工程Ｓ２２０において受付けられた情報である。その部品特定情報は、部品特定情報受付工程Ｓ２２２において受付けられた情報である。そのクリンプハイト情報は、クリンプハイト受信工程Ｓ２２４において受信された情報である。その接続強度情報は、接続強度受信工程Ｓ２２６において受信された情報である。相違程度値が算出された時期（本実施形態の場合は日時および時刻）を示す情報は、相違程度値算出部１００が生成する。それらの情報は、相違程度値に対応付けて出力される。
【００５３】
要件判断工程Ｓ２４２にて、要件判断部１０２は、接続状況の良否を判断する。その良否は、相違程度値についての所定の要件が満たされるか否かに基づいて判断される。
【００５４】
本実施形態の場合、要件判断工程Ｓ２４２が、閾値判断工程Ｓ２６０と、不合格情報生成工程Ｓ２６２と、合格情報生成工程Ｓ２６４と、推移要件判断工程Ｓ２６６と、推移判断情報生成工程Ｓ２６８とを有している。
【００５５】
閾値判断工程Ｓ２６０にて、要件判断部１０２の閾値判断部１５０（現実には制御部５０およびメモリ５２）は、次に述べられる所定の要件を満たすか否かを判断する。その要件は、相違程度値算出部１００が算出した相違程度値が閾値を超えるというものである。相違程度値が閾値を超えると判断された場合（Ｓ２６０にてＹＥＳ）、処理は不合格情報生成工程Ｓ２６２へと移される。そうでない場合（Ｓ２６０にてＮＯ）、処理は合格情報生成工程Ｓ２６４へと移される。
【００５６】
不合格情報生成工程Ｓ２６２にて、閾値判断部１５０（現実には制御部５０）は、クリンプハイトが測定され接続強度が測定された電線が品質試験に合格しなかった旨の情報を生成する。この情報が本実施形態における閾値要件充足判断情報である。閾値判断部１５０（現実には制御部５０）は、その閾値要件充足判断情報を五感認識可能態様出力部１７０（現実には制御部５０とメモリ５２と固定ディスク５４と表示装置６４）に出力する。閾値判断部１５０は、その閾値要件充足判断情報と共に、次に述べられる情報も五感認識可能態様出力部１７０に出力する。それらの情報は、接続特定情報、部品特定情報、クリンプハイト情報、および、接続強度情報である。閾値判断部１５０（現実には制御部５０）は、記憶装置出力部１７２（現実には制御部５０とメモリ５２と固定ディスク５４と第３Ｉ／Ｏ７０）にも同様に情報を出力する。閾値判断部１５０（現実には制御部５０およびメモリ５２）は、相違程度値とこれが算出された日時を示す情報とを相違程度値記憶部１５２（現実にはメモリ５２）に出力する。相違程度値記憶部１５２はそれらの情報を記憶する。
【００５７】
合格情報生成工程Ｓ２６４にて、閾値判断部１５０（現実には制御部５０）は、クリンプハイトが測定され接続強度が測定された電線が品質試験に合格した旨の情報を生成する。この情報が本実施形態における閾値要件充足判断情報である。閾値判断部１５０（現実には制御部５０およびメモリ５２）は、その閾値要件充足判断情報を五感認識可能態様出力部１７０（現実には制御部５０とメモリ５２と固定ディスク５４と表示装置６４）に出力する。閾値判断部１５０は、その閾値要件充足判断情報と共に、次に述べられる情報も五感認識可能態様出力部１７０に出力する。それらの情報は、接続特定情報、部品特定情報、クリンプハイト情報、および、接続強度情報である。閾値判断部１５０（現実には制御部５０）は、記憶装置出力部１７２（現実には制御部５０とメモリ５２と固定ディスク５４と第３Ｉ／Ｏ７０）にも同様に情報を出力する。閾値判断部１５０（現実には制御部５０およびメモリ５２）は、相違程度値とこれが算出された日時を示す情報とを相違程度値記憶部１５２（現実にはメモリ５２）に出力する。相違程度値記憶部１５２はそれらの情報を記憶する。
【００５８】
推移要件判断工程Ｓ２６６にて、推移要件判断部１５４は、相違程度値記憶部１５２から次に述べられる情報の組を読み出す。読み出される情報の組は、相違程度値とこの相違程度値が算出された日時を示す情報との組である。複数組のそれらの情報の組が読み出される。読み出される情報の組のうち１組は、相違程度値記憶部１５２に最後に記憶された情報の組である。それらの情報の組が読み出されると、推移要件判断部１５４は、相違程度値の推移がその推移に対応する所定の要件を満たすか否かを判断する。相違程度値の推移は、推移要件判断部１５４によって読み出された複数組の情報の組が示すものである。本実施形態の場合、その所定の要件は、時間の経過につれて相違程度値が上述された閾値に近づいているというものである。相違程度値の推移がその推移に対応する所定の要件を満たすかと判断された場合（Ｓ２６６にてＹＥＳ）、処理は推移判断情報生成工程Ｓ２６８へと移される。もしそうでないと（Ｓ２６６にてＮＯ）、要件判断工程Ｓ２４２は終了する。
【００５９】
推移判断情報生成工程Ｓ２６８にて、推移要件判断部１５４は、今後品質試験を受ける電線がその品質試験に合格しなくなる恐れがある旨の情報を生成する。この情報が本実施形態における推移要件充足判断情報である。推移要件充足判断情報が生成されると、推移要件判断部１５４（現実には制御部５０）は、その推移要件充足判断情報を五感認識可能態様出力部１７０（現実には制御部５０とメモリ５２と固定ディスク５４と表示装置６４）に出力する。推移要件判断部１５４（現実には制御部５０）は、その推移要件充足判断情報を記憶装置出力部１７２（現実には制御部５０とメモリ５２と固定ディスク５４と第３Ｉ／Ｏ７０）にも出力する。
【００６０】
図７は、本実施形態にかかる判断結果出力工程Ｓ２０４における制御の手順を示すフローチャートである。この工程は、次に述べられる複数の工程をコンピュータ４０に実行させるものである。それら複数の工程は、五感認識可能態様出力工程Ｓ２８０、および、記憶装置出力工程Ｓ２８２である。以下、これらの各工程の具体的な内容が説明される。
【００６１】
五感認識可能態様出力工程Ｓ２８０において、五感認識可能態様出力部１７０（現実には制御部５０および表示装置６４）は、生成された推移要件充足判断情報を出力する。五感認識可能態様出力部１７０によって出力される情報は、ヒトの五感で認識可能な態様で出力される。本実施形態の場合、その情報は画像として出力される。すなわち、その画像はヒトの視覚で認識可能な態様で出力される。本実施形態の場合、推移要件充足判断情報は生成された場合に限って出力される。本実施形態の場合、五感認識可能態様出力部１７０は、閾値要件充足判断情報、接続強度情報、および、クリンプハイト情報も画像として出力する。これらの情報は推移要件充足判断情報が生成されたか否かに関わらず出力される。
【００６２】
記憶装置出力工程Ｓ２８２において、記憶装置出力部１７２（現実には制御部５０および第３Ｉ／Ｏ７０）は、閾値要件充足判断情報を出力する。記憶装置出力部１７２によって出力される情報は、結果情報記憶装置１０へ出力される。本実施形態の場合、記憶装置出力部１７２は、次に述べられる情報も閾値要件充足判断情報と共に出力する。それらの情報は、接続特定情報、部品特定情報、クリンプハイト情報、および、接続強度情報である。推移要件充足判断情報が生成された場合にはその推移要件充足判断情報も出力される。
【００６３】
［動作の説明］
以下、本実施形態にかかる生産管理システムの動作が説明される。
【００６４】
（接続状況に異常がない場合）
接続特定情報受付部１２０は、接続特定情報を受付けるための画像を出力する。図８（Ａ）はその画像を示す。その画像が出力されると、接続特定情報受付部１２０は、接続特定情報を受付ける（Ｓ２２０）。本実施形態においては、作業者の識別情報が接続特定情報として用いられる。本実施形態における「作業者」とは「電線の端部に端子を取付ける」という作業をした者のことである。作業者の識別情報は、その作業者が身に付けている名札にバーコードによって示されている。作業者は接続特定情報受付部１２０として動作するバーコードリーダ６０にそのバーコードを読み取らせる。これにより接続特定情報が受付けられる。接続特定情報が受付けられると、接続特定情報受付部１２０は、その接続特定情報を相違程度値算出部１００に出力する。相違程度値算出部１００はその接続特定情報を記憶する。
【００６５】
接続特定情報が出力されると、部品特定情報受付部１２２は、部品特定情報を受付けるための画像を出力する。図８（Ｂ）はその画像を示す。その画像が出力されると、部品特定情報受付部１２２は、部品特定情報を受付ける（Ｓ２２２）。本実施形態においては、電線の品番および端子の品番が部品特定情報として用いられる。それらの部品特定情報は、１つのバーコードによって示されている。本実施形態においては、そのバーコードは「製品バーコード」と呼ばれている。製品バーコードは、材料である電線および端子と共に作業者に届けられる書面に示されている。作業者は部品特定情報受付部１２２として動作するバーコードリーダ６０に製品バーコードを読み取らせる。これにより部品特定情報が受付けられる。部品特定情報が受付けられると、部品特定情報受付部１２２は、その部品特定情報を相違程度値算出部１００に出力する。相違程度値算出部１００はその部品特定情報を記憶する。
【００６６】
部品特定情報が出力されると、クリンプハイト受信部１２４は、クリンプハイト試験の開始指令を受付ける。その間、作業者は端子が接続された電線をクリンプハイト試験機１４に取付ける。その取付けが完了すると、作業者はクリンプハイト試験の開始指令をクリンプハイト受信部１２４に入力する。クリンプハイト試験の開始指令が受付けられると、クリンプハイト受信部１２４は、クリンプハイト試験機１４に対してクリンプハイト測定指令を送信する。クリンプハイト測定指令を受信したクリンプハイト試験機１４は自身に取付けられた電線の端子におけるクリンプハイトを測定する。クリンプハイトが測定されると、クリンプハイト試験機１４は測定されたクリンプハイトを示すクリンプハイト情報をクリンプハイト受信部１２４に送信する。クリンプハイト受信部１２４は、そのクリンプハイト情報を受信する（Ｓ２２４）。クリンプハイト情報が受信されると、クリンプハイト受信部１２４はそのクリンプハイト情報を相違程度値算出部１００に出力する。相違程度値算出部１００はそのクリンプハイト情報を記憶する。
【００６７】
クリンプハイト情報が出力されると、接続強度受信部１２６は、引張試験の開始指令を受付ける。その間、作業者はクリンプハイトの測定が完了した電線を引張試験機１６に取付ける。その取付けが完了すると、作業者は引張試験の開始指令を接続強度受信部１２６に入力する。引張試験の開始指令が受付けられると、接続強度受信部１２６は、引張試験機１６に対して強度測定指令を送信する。強度測定指令を受信した引張試験機１６は自身に取付けられた電線に対して引張試験を行う。この引張試験における最大荷重が本実施形態における接続強度である。接続強度が測定されると、引張試験機１６は測定された接続強度を示す接続強度情報を接続強度受信部１２６に送信する。接続強度受信部１２６は、その接続強度情報を受信する（Ｓ２２６）。接続強度情報が受信されると、接続強度受信部１２６はその接続強度情報を相違程度値算出部１００に出力する。相違程度値算出部１００はその接続強度情報を記憶する。
【００６８】
接続強度情報と時刻を示す情報とが出力されると、相違程度値算出部１００は、所定の相違程度値を算出する（Ｓ２４０）。相違程度値が算出されると、相違程度値算出部１００は、その相違程度値、接続特定情報、部品特定情報、クリンプハイト情報、接続強度情報、および、相違程度値が算出された日時を示す情報を閾値判断部１５０に出力する。閾値判断部１５０は、相違程度値算出部１００が算出した相違程度値が閾値を超えるか否かを判断する（Ｓ２６０）。この場合、相違程度値は閾値を超えないので（Ｓ２６０にてＮＯ）、閾値判断部１５０は、クリンプハイトが測定され接続強度が測定された電線が品質試験に合格した旨の閾値要件充足判断情報を生成する（Ｓ２６４）。閾値判断部１５０は、その閾値要件充足判断情報を五感認識可能態様出力部１７０に出力する。閾値判断部１５０は、その閾値要件充足判断情報と共に、次に述べられる情報も五感認識可能態様出力部１７０に出力する。それらの情報は、接続特定情報、部品特定情報、クリンプハイト情報、および、接続強度情報である。閾値判断部１５０は、記憶装置出力部１７２にも同様に情報を出力する。閾値判断部１５０は、相違程度値とこれが算出された日時を示す情報とを相違程度値記憶部１５２に出力する。相違程度値記憶部１５２はそれらの情報を記憶する。
【００６９】
相違程度値とこれが算出された日時を示す情報とが相違程度値記憶部１５２に出力されると、推移要件判断部１５４は、相違程度値記憶部１５２からそれらの情報と次に述べられる情報の組とを読み出す。読み出される情報の組は、過去に相違程度値記憶部１５２に記憶された相違程度値とその相違程度値が算出された日時を示す情報との組である。この場合、相違程度値が算出された日時が直近５回のいずれかを示す情報の組が読み出されることとする。それらの情報の組が読み出されると、推移要件判断部１５４は、相違程度値の推移がその推移に対応する所定の要件を満たすか否かを判断する（Ｓ２６６）。これにより、直近５回のクリンプハイトの測定および引張試験の結果に基づいて相違程度値の推移がその推移に対応する所定の要件を満たすか否かが判断されることとなる。この場合、相違程度値が時間の経過につれてその閾値に近づいているとは言えないとすると（Ｓ２６６にてＮＯ）、五感認識可能態様出力部１７０は、閾値要件充足判断情報、接続強度情報、および、クリンプハイト情報を示す画像を出力する（Ｓ２８０）。
【００７０】
その画像が出力されると、記憶装置出力部１７２は、閾値要件充足判断情報、接続特定情報、部品特定情報、クリンプハイト情報、および、接続強度情報を結果情報記憶装置１０へ出力する（Ｓ２８２）。
【００７１】
それらの情報が出力されると、記憶装置出力部１７２は、関係情報受付工程Ｓ２００乃至判断結果出力工程Ｓ２０４の工程が所定の回数繰り返されたか否かを判断する（Ｓ２０６）。それらの工程が所定の回数繰返されていないとすると（Ｓ２０６にてＮＯ）、関係情報受付工程Ｓ２００乃至判断結果出力工程Ｓ２０４の工程が繰返される。その後、それらの工程が所定の回数（本実施形態の場合は３回）繰返されたとすると（Ｓ２０６にてＹＥＳ）、処理は終了する。図９（Ａ）は、この場合において関係情報受付工程Ｓ２００乃至判断結果出力工程Ｓ２０４の工程が３回繰返された後の五感認識可能態様出力部１７０が出力した画像の概念図である。図９（Ａ）においては、「クリンプハイト」欄にクリンプハイト情報の内容が示されている。「接続強度」欄に接続強度情報の内容が示されている。「判定」欄に閾値要件充足判断情報が示されている。「判定」欄の「ＯＫ」という文字は、品質試験に合格した旨を示す。
【００７２】
（今後品質試験に合格しなくなる恐れがある場合）
Ｓ２００乃至Ｓ２６４の処理を経て、推移要件判断部１５４は、相違程度値の推移がその推移に対応する所定の要件を満たすか否かを判断する（Ｓ２６６）。当初、相違程度値の推移がその要件を満たさないとすると（Ｓ２６６にてＮＯ）、五感認識可能態様出力工程Ｓ２８０と記憶装置出力工程Ｓ２８２とを経て、記憶装置出力部１７２は、関係情報受付工程Ｓ２００乃至判断結果出力工程Ｓ２０４の工程が所定の回数繰り返されたか否かを判断する（Ｓ２０６）。この場合、それらの工程が所定の回数繰返されていないので（Ｓ２０６にてＮＯ）、関係情報受付工程Ｓ２００乃至判断結果出力工程Ｓ２０４の工程が繰り返される。その繰り返し回数が３回目に近づくにつれて相違程度値が閾値に近づくとすると（Ｓ２６６にてＹＥＳ）、推移要件判断部１５４は、今後品質試験を受ける電線がその品質試験に合格しなくなる恐れがある旨の情報を生成する（Ｓ２６８）。その情報が生成されると、五感認識可能態様出力部１７０は、次に述べられる画像を出力する（Ｓ２８０）。その画像は、推移要件充足判断情報、閾値要件充足判断情報、接続強度情報、および、クリンプハイト情報を示す。その画像が出力されると、記憶装置出力部１７２は、生成された推移要件充足判断情報と閾値要件充足判断情報と接続特定情報とを結果情報記憶装置１０へ出力する（Ｓ２８２）。それらの情報が出力されると、記憶装置出力部１７２は、関係情報受付工程Ｓ２００乃至判断結果出力工程Ｓ２０４の工程が所定の回数繰り返されたか否かを判断する（Ｓ２０６）。それらの工程が所定の回数繰返されたとすると（Ｓ２０６にてＹＥＳ）、処理は終了する。図９（Ｂ）は、この場合において関係情報受付工程Ｓ２００乃至判断結果出力工程Ｓ２０４の工程が３回繰返された後の五感認識可能態様出力部１７０が出力した画像の概念図である。図９（Ｂ）においては、「判定」欄の右側の一番下の枠に「！」という文字が示されている。これは、今後品質試験を受ける電線がその品質試験に合格しなくなる恐れがある旨を示す。図９（Ｂ）におけるその他の内容は図９（Ａ）と同様である。
【００７３】
（品質試験に合格しない場合）
関係情報受付工程Ｓ２００乃至判断結果出力工程Ｓ２０４の工程が２回繰り返された後、Ｓ２００乃至Ｓ２４０の処理を経て、閾値判断部１５０は、相違程度値算出部１００が算出した相違程度値が閾値を超えるか否かを判断する（Ｓ２６０）。この場合、相違程度値が閾値を超えるとすると（Ｓ２６０にてＹＥＳ）、閾値判断部１５０は、クリンプハイトが測定され接続強度が測定された電線が品質試験に合格しなかった旨の情報を生成する（Ｓ２６２）。その後、五感認識可能態様出力部１７０は、閾値要件充足判断情報、接続強度情報、および、クリンプハイト情報を示す画像を出力する（Ｓ２８０）。記憶装置出力部１７２は、閾値要件充足判断情報、接続特定情報、部品特定情報、クリンプハイト情報、および、接続強度情報を結果情報記憶装置１０へ出力する（Ｓ２８２）。それらの情報が出力されると、記憶装置出力部１７２は、関係情報受付工程Ｓ２００乃至判断結果出力工程Ｓ２０４の工程が所定の回数繰り返されたか否かを判断する（Ｓ２０６）。この場合、それらの工程が所定の回数繰返されたので（Ｓ２０６にてＹＥＳ）、処理は終了する。図９（Ｃ）は、この場合において関係情報受付工程Ｓ２００乃至判断結果出力工程Ｓ２０４の工程が３回繰返された後の五感認識可能態様出力部１７０が出力した画像の概念図である。図９（Ｃ）においては、「判定」欄の左側の一番下の枠に「ＮＧ」という文字が示されている。これは、電線が品質試験に合格しなかった旨を示す。図９（Ｃ）におけるその他の内容は図９（Ａ）と同様である。
【００７４】
［効果の説明］
本実施形態にかかる電線接続状況判断装置１２は、端子と電線との接続状況に関する潜在的な問題の検出確率を向上させる。
【００７５】
また、本実施形態にかかる電線接続状況判断装置１２は、関係情報受付部８０によって受付けられた関係情報が単独で示し得る潜在的な問題の検出確率に加えてその関係情報の推移が示し得る潜在的な問題の検出確率を向上させる。関係情報の推移が示し得る潜在的な問題の例には、電線端部と端子とを接続することに関する何らかの条件に改善が施されなければいずれ相違程度値が何度も閾値を超えるようになるというものがある。
【００７６】
また、本実施形態にかかる電線接続状況判断装置１２は、ヒトの五感で認識可能な態様で情報を出力する。これにより、相違程度値の推移に現れる潜在的な問題をヒトに認識させることが容易になる。また、本実施形態にかかる電線接続状況判断装置１２は、結果情報記憶装置１０へ情報を出力する。これにより、相違程度値の推移に現れる潜在的な問題を情報出力の後に確認することが容易になる。その結果、相違程度値の推移に現れる潜在的な問題をヒトに容易に認識させることができ、かつ、相違程度値が閾値を超えたか否かを後に確認できる。
【００７７】
また、本実施形態にかかる電線接続状況判断装置１２は、接続特定情報を閾値要件充足判断情報と共に出力する。これにより、接続状況が良くない電線端部および端子とそれらを接続した者との関連性を調べることが可能になる。その関連性を調べることが可能になると、その関連性に基づいて潜在的な問題の原因を特定できる可能性が高くなる。
【００７８】
［変形例の説明］
今回開示された実施形態はすべての点で例示である。本発明の範囲は上述した実施形態に基づいて制限されるものではない。もちろん、本発明の趣旨を逸脱しない範囲で種々の設計変更が可能である。
【００７９】
例えば、相違程度値は母集団の相関係数と影響を受けた相関係数との差に限定されない。上述されたように、本発明における相違程度値は、関係情報受付部８０が受付けた関係情報と関係情報の所定の母集団を構成する関係情報それぞれとの相違の程度を示す値である。そのような相違の程度を示す値であれば、相違程度値の具体的な内容は特に限定されない。母集団の相関係数と影響を受けた相関係数との差以外の相違程度値の具体例には、マハラノビス値がある。したがって、本発明においてはマハラノビス距離が相違程度値として用いられてもよい。その場合、マハラノビス距離が所定の相違程度値として算出される。そのマハラノビス距離は、クリンプハイトと接続強度との間における相関係数に基づいて算出される。その相関係数の算出には、関係情報受付部８０が受付けた関係情報と関係情報の所定の母集団とが用いられる。その相関係数の算出にあたっては、関係情報受付部８０が受付けた関係情報と関係情報の所定の母集団とは予め正規化された上で用いられる。そのマハラノビス距離自体の算出手順は周知である。したがってその具体的な手順はここでは説明されない。
【００８０】
また、電線端部と端子とが装置によって接続される場合、接続特定情報受付部１２０が受付ける接続特定情報は、電線端部と端子とを接続した装置を示すものであってもよい。その場合、その接続特定情報は、電線端部と端子とを接続した装置を示す情報、および、その装置を操作することで電線端部と端子とを接続した者を示す情報を有するものであってもよい。
【００８１】
また、推移要件判断工程Ｓ２６６における判断の具体的内容は上述したものに限定されない。例えば、閾値判断工程Ｓ２６０にて用いられる閾値に上限値と下限値とがあるとする。閾値判断工程Ｓ２６０における「相違程度値が閾値を超える」という要件が、「相違程度値が閾値の上限値より大きい」という要件と「相違程度値が閾値の上限値より大きい」という要件とを有するとする。この場合、推移要件判断工程Ｓ２６６における要件は「推移要件判断部１５４によって読み出された複数組の情報が示す相違程度値のすべてが、閾値の上限値と下限値との平均値よりも大きい」であってもよい。この場合、推移要件判断工程Ｓ２６６における要件は「推移要件判断部１５４によって読み出された複数組の情報が示す相違程度値のすべてが、閾値の上限値と下限値との平均値よりも小さい」であってもよい。
【００８２】
また、五感認識可能態様出力部１７０は、閾値要件充足判断情報を出力しなくてもよい。この場合、五感認識可能態様出力部１７０は推移要件充足判断情報のみを出力することとなる。記憶装置出力部１７２は、推移要件充足判断情報を出力しなくてもよい。この場合、記憶装置出力部１７２は、閾値要件充足判断情報のみを出力することとなる。
【００８３】
また、電線端部と端子との接続強度の具体的内容は上述したものに限定されない。その接続強度は、電線端部と端子との接続の強さを示すものであればよい。
【符号の説明】
【００８４】
１０…結果情報記憶装置
１２…電線接続状況判断装置
１４…クリンプハイト試験機
１６…引張試験機
４０…コンピュータ
４２…ＵＳＢメモリ
５０…制御部
５２…メモリ
５４…固定ディスク
５６…キーボード
５８…マウス
６０…バーコードリーダ
６２…コネクタ
６４…表示装置
６６…第１Ｉ／Ｏ
６８…第２Ｉ／Ｏ
７０…第３Ｉ／Ｏ
８０…関係情報受付部
８２…良否判断部
８４…判断結果情報出力部
１００…相違程度値算出部
１０２…要件判断部
１２０…接続特定情報受付部
１２２…部品特定情報受付部
１２４…クリンプハイト受信部
１２６…接続強度受信部
１５０…閾値判断部
１５２…相違程度値記憶部
１５４…推移要件判断部
１７０…五感認識可能態様出力部
１７２…記憶装置出力部
【要約】
【課題】端子と電線との接続状況に関する潜在的な問題の検出確率を向上させる。
【解決手段】電線接続状況判断装置１２は、関係情報受付部８０と、良否判断部８２と、判断結果情報出力部８４とを備える。関係情報受付部８０は、関係情報の入力を受付ける。良否判断部８２は、接続状況の良否を判断する。判断結果情報出力部８４は、判断結果情報を出力する。良否判断部８２が、相違程度値算出部１００と、要件判断部１０２とを有している。相違程度値算出部１００は、相違程度値を算出する。要件判断部１０２は、接続状況の良否を判断する。その良否は、相違程度値についての所定の要件が満たされるか否かに基づいて判断される。
【選択図】図３【図１】
0006832034.tif 000002
【図２】
0006832034.tif 000003
【図３】
0006832034.tif 000004
【図４】
0006832034.tif 000005
【図５】
0006832034.tif 000006
【図６】
0006832034.tif 000007
【図７】
0006832034.tif 000008
【図８】
0006832034.tif 000009
【図９】
0006832034.tif 000010